(57)【特許請求の範囲】
【請求項１】
周波数分割デュプレクス（ＦＤＤ）無線通信のための方法であって、
複数の異なるアップリンク・アクティビティ・パターンにしたがって送信するように、複数のユーザ機器（ＵＥ）を設定することと、
前記ＵＥへデータを送信することと、
前記複数のＵＥからアクノレッジメントを受信することと、ここで、各アクノレッジメントは、対応するアップリンク・アクティビティ・パターンにしたがって前記ＵＥによって送信される、
前記アクノレッジメントを受信している間、前記ＵＥへのさらなるデータ送信を回避することと、
を備える方法。
【請求項２】
前記複数の異なるアップリンク・アクティビティ・パターンは、オーバラップしない、請求項１に記載の方法。
【請求項３】
前記異なるアップリンク・アクティビティ・パターンは、基地局において、実質的に完全にアグリゲートされたアップリンク・デューティ・サイクルを達成することを試みて選択される、請求項１に記載の方法。
【請求項４】
前記ＵＥに送信されるデータと、前記ＵＥから受信されるアクノレッジメントとが、オーバラップしないように設定される、請求項１に記載の方法。
【請求項５】
前記複数のＵＥを設定することは、前記複数のＵＥのうちの少なくとも１つに対して、１または複数のダウンリンク送信のためのアクノレッジメントを送信することをディセーブルさせることを示すインジケーションを送信することを備える、請求項１に記載の方法。
【請求項６】
周波数分割デュプレクス（ＦＤＤ）無線通信のための装置であって、
複数の異なるアップリンク・アクティビティ・パターンにしたがって送信するように、複数のユーザ機器（ＵＥ）を設定する手段と、
前記ＵＥへデータを送信する手段と、
前記複数のＵＥからアクノレッジメントを受信する手段と、ここで、各アクノレッジメントは、対応するアップリンク・アクティビティ・パターンにしたがって前記ＵＥによって送信される、
前記アクノレッジメントを受信している間、前記ＵＥへのさらなるデータ送信を回避する手段と、
を備える装置。
【請求項７】
前記複数の異なるアップリンク・アクティビティ・パターンは、オーバラップしない、請求項６に記載の装置。
【請求項８】
前記異なるアップリンク・アクティビティ・パターンは、基地局において、実質的に完全にアグリゲートされたアップリンク・デューティ・サイクルを達成することを試みて選択される、請求項６に記載の装置。
【請求項９】
前記ＵＥに送信されるデータと、前記ＵＥから受信されるアクノレッジメントとが、オーバラップしないように設定される、請求項６に記載の装置。
【請求項１０】
前記複数のＵＥを設定する手段は、前記複数のＵＥのうちの少なくとも１つに対して、１または複数のダウンリンク送信のためのアクノレッジメントを送信することをディセーブルさせることを示すインジケーションを送信する手段を備える、請求項６に記載の装置。
【請求項１１】
周波数分割デュプレクス（ＦＤＤ）無線通信のための装置であって、
複数の異なるアップリンク・アクティビティ・パターンにしたがって送信するように、複数のユーザ機器（ＵＥ）を設定し、
前記ＵＥへデータを送信し、
前記複数のＵＥからアクノレッジメントを受信し、ここで、各アクノレッジメントは、対応するアップリンク・アクティビティ・パターンにしたがって前記ＵＥによって送信され、
前記アクノレッジメントを受信している間、前記ＵＥへのさらなるデータ送信を回避する、
ように構成された少なくとも１つのプロセッサと、
前記少なくとも１つのプロセッサに接続されたメモリと、
を備える装置。
【請求項１２】
前記複数の異なるアップリンク・アクティビティ・パターンは、オーバラップしない、請求項１１に記載の装置。
【請求項１３】
前記異なるアップリンク・アクティビティ・パターンは、基地局において、実質的に完全にアグリゲートされたアップリンク・デューティ・サイクルを達成することを試みて選択される、請求項１１に記載の装置。
【請求項１４】
前記ＵＥに送信されるデータと、前記ＵＥから受信されるアクノレッジメントとが、オーバラップしないように設定される、請求項１１に記載の装置。
【請求項１５】
前記複数のＵＥを設定するように構成された少なくとも１つのプロセッサは、前記複数のＵＥのうちの少なくとも１つに対して、１または複数のダウンリンク送信のためのアクノレッジメントを送信することをディセーブルさせることを示すインジケーションを送信することを備える、請求項１１に記載の装置。
【請求項１６】
周波数分割デュプレクス（ＦＤＤ）無線通信のためのコンピュータ読取可能な記憶媒体であって、
複数の異なるアップリンク・アクティビティ・パターンにしたがって送信するように、複数のユーザ機器（ＵＥ）を設定し、
前記ＵＥへデータを送信し、
前記複数のＵＥからアクノレッジメントを受信し、ここで、各アクノレッジメントは、対応するアップリンク・アクティビティ・パターンにしたがって前記ＵＥによって送信され、
前記アクノレッジメントを受信している間、前記ＵＥへのさらなるデータ送信を回避する、
ためのコードを備えるコンピュータ読取可能な記憶媒体。
【請求項１７】
前記複数の異なるアップリンク・アクティビティ・パターンは、オーバラップしない、請求項１６に記載のコンピュータ読取可能な記憶媒体。
【請求項１８】
前記異なるアップリンク・アクティビティ・パターンは、基地局において、実質的に完全にアグリゲートされたアップリンク・デューティ・サイクルを達成することを試みて選択される、請求項１６に記載のコンピュータ読取可能な記憶媒体。
【請求項１９】
前記ＵＥに送信されるデータと、前記ＵＥから受信されるアクノレッジメントとが、オーバラップしないように設定される、請求項１６に記載のコンピュータ読取可能な記憶媒体。
【請求項２０】
前記複数のＵＥを設定するためのコードは、前記複数のＵＥのうちの少なくとも１つに対して、１または複数のダウンリンク送信のためのアクノレッジメントを送信することをディセーブルさせることを示すインジケーションを送信するためのコードを備える、請求項１６に記載のコンピュータ読取可能な記憶媒体。
【請求項２１】
周波数分割デュプレクス（ＦＤＤ）無線通信のための方法であって、
複数のダウンリンク・サブフレームで、ユーザ機器（ＵＥ）へ、複数の送信を送ることと、
前記複数の送信の受信をアクノレッジする、バンドルされたアクノレッジメントを受信することと、
前記バンドルされたアクノレッジメントを受信している間、前記ＵＥへのさらなる送信を回避することと、。
を備える方法。
【請求項２２】
前記複数の送信は、予め定められた数の送信を備える、請求項２１に記載の方法。
【請求項２３】
前記バンドルされたアクノレッジメントを受信することは、
前記予め定められた数の送信を送った後にのみ、前記バンドルされたアクノレッジメントを受信することを備える、請求項２２に記載の方法。
【請求項２４】
前記予め定められた数の送信を示すインジケーションを送信すること、をさらに備える請求項２２に記載の方法。
【請求項２５】
物理アップリンク共有チャネル（ＰＵＳＣＨ）のための割当を送信することと、
前記バンドルされたアクノレッジメントを、前記ＰＵＳＣＨで受信することと、
をさらに備える請求項２１に記載の方法。
【請求項２６】
周波数分割デュプレクス（ＦＤＤ）無線通信のための装置であって、
複数のダウンリンク・サブフレームで、ユーザ機器（ＵＥ）へ、複数の送信を送る手段と、
前記複数の送信の受信をアクノレッジする、バンドルされたアクノレッジメントを受信する手段と、
前記バンドルされたアクノレッジメントを受信している間、前記ＵＥへのさらなる送信を回避する手段と、
を備える装置。
【請求項２７】
前記複数の送信は、予め定められた数の送信を備える、請求項２６に記載の装置。
【請求項２８】
前記バンドルされたアクノレッジメントを受信する手段は、
前記予め定められた数の送信を送った後にのみ、前記バンドルされたアクノレッジメントを受信する手段
を備える、請求項２７に記載の装置。
【請求項２９】
前記予め定められた数の送信を示すインジケーションを送信する手段、をさらに備える請求項２７に記載の装置。
【請求項３０】
物理アップリンク共有チャネル（ＰＵＳＣＨ）のための割当を送信する手段と、
前記バンドルされたアクノレッジメントを、前記ＰＵＳＣＨで受信する手段と、
をさらに備える請求項２６に記載の装置。
【請求項３１】
周波数分割デュプレクス（ＦＤＤ）無線通信のための装置であって、
複数のダウンリンク・サブフレームで、ユーザ機器（ＵＥ）へ、複数の送信を送り、
前記複数の送信の受信をアクノレッジする、バンドルされたアクノレッジメントを受信し、
前記バンドルされたアクノレッジメントを受信している間、前記ＵＥへのさらなる送信を回避する、
ように構成された少なくとも１つのプロセッサと、
前記少なくとも１つのプロセッサに接続されたメモリと、
を備える装置。
【請求項３２】
前記複数の送信は、予め定められた数の送信を備える、請求項３１に記載の装置。
【請求項３３】
前記バンドルされたアクノレッジメントを受信するように構成された少なくとも１つのプロセッサは、前記予め定められた数の送信を送った後にのみ、前記バンドルされたアクノレッジメントを受信することを備える、請求項３２に記載の装置。
【請求項３４】
前記少なくとも１つのプロセッサは、前記予め定められた数の送信を示すインジケーションを送信するように構成された、請求項３２に記載の装置。
【請求項３５】
前記少なくとも１つのプロセッサは、物理アップリンク共有チャネル（ＰＵＳＣＨ）のための割当を送信し、前記バンドルされたアクノレッジメントを、前記ＰＵＳＣＨで受信するように構成された、請求項３１に記載の装置。
【請求項３６】
周波数分割デュプレクス（ＦＤＤ）無線通信のためのコンピュータ読取可能な記憶媒体であって、
複数のダウンリンク・サブフレームで、ユーザ機器（ＵＥ）へ、複数の送信を送り、
前記複数の送信の受信をアクノレッジする、バンドルされたアクノレッジメントを受信し、
前記バンドルされたアクノレッジメントを受信している間、前記ＵＥへのさらなる送信を回避する、
ためのコードを備えるコンピュータ読取可能な記憶媒体。
【請求項３７】
前記複数の送信は、予め定められた数の送信を備える、請求項３６に記載のコンピュータ読取可能な記憶媒体。
【請求項３８】
前記バンドルされたアクノレッジメントを受信するためのコードは、前記予め定められた数の送信を送った後にのみ、前記バンドルされたアクノレッジメントを受信するためのコードを備える、請求項３７に記載のコンピュータ読取可能な記憶媒体。
【請求項３９】
前記予め定められた数の送信を示すインジケーションを送信するためのコード、をさらに備える請求項３７に記載のコンピュータ読取可能な記憶媒体。
【請求項４０】
物理アップリンク共有チャネル（ＰＵＳＣＨ）のための割当を送信し、
前記バンドルされたアクノレッジメントを、前記ＰＵＳＣＨで受信する
ためのコード、をさらに備える請求項３６に記載のコンピュータ読取可能な記憶媒体。
【請求項４１】
周波数分割デュプレクス（ＦＤＤ）無線通信のための方法であって、
複数のダウンリンク・サブフレームで、基地局から、複数の送信を受信することと、
前記複数の送信の受信をアクノレッジする、バンドルされたアクノレッジメントを送信することと、
前記基地局から、前記複数の送信を受信している間、アップリンク送信を回避することと、
を備える方法。
【請求項４２】
前記複数の送信は、予め定められた数の送信を備える、請求項４１に記載の方法。
【請求項４３】
前記バンドルされたアクノレッジメントを送信することは、前記予め定められた数の送信を受信した後にのみ、前記バンドルされたアクノレッジメントを送信することを備える、請求項４２に記載の方法。
【請求項４４】
前記予め定められた数の送信を示すインジケーションを受信すること、をさらに備える請求項４２に記載の方法。
【請求項４５】
前記基地局からの１または複数のダウンリンク送信をアクノレッジすることをディセーブルすることを示すインジケーションを受信すること、をさらに備える請求項４１に記載の方法。
【請求項４６】
物理アップリンク共有チャネル（ＰＵＳＣＨ）のための割当を受信することと、
前記バンドルされたアクノレッジメントを、前記ＰＵＳＣＨで送信することと、
をさらに備える請求項４１に記載の方法。
【請求項４７】
前記バンドルされたアクノレッジメントは、前記ＰＵＳＣＨのための割当を受信するまで送信されない、請求項４６に記載の方法。
【請求項４８】
周波数分割デュプレクス（ＦＤＤ）無線通信のための装置であって、
複数のダウンリンク・サブフレームで、基地局から、複数の送信を受信する手段と、
前記複数の送信の受信をアクノレッジする、バンドルされたアクノレッジメントを送信する手段と、
前記基地局から、前記複数の送信を受信している間、アップリンク送信を回避する手段と、
を備える装置。
【請求項４９】
前記複数の送信は、予め定められた数の送信を備える、請求項４８に記載の装置。
【請求項５０】
前記バンドルされたアクノレッジメントを送信する手段は、前記予め定められた数の送信を受信した後にのみ、前記バンドルされたアクノレッジメントを送信する手段を備える、請求項４９に記載の装置。
【請求項５１】
前記予め定められた数の送信を示すインジケーションを受信する手段、をさらに備える請求項４９に記載の装置。
【請求項５２】
前記基地局からの１または複数のダウンリンク送信をアクノレッジすることをディセーブルすることを示すインジケーションを受信する手段、をさらに備える請求項４８に記載の装置。
【請求項５３】
物理アップリンク共有チャネル（ＰＵＳＣＨ）のための割当を受信する手段と、
前記バンドルされたアクノレッジメントを、前記ＰＵＳＣＨで送信する手段と、
をさらに備える請求項４８に記載の装置。
【請求項５４】
前記バンドルされたアクノレッジメントは、前記ＰＵＳＣＨのための割当を受信するまで送信されない、請求項５３に記載の装置。
【請求項５５】
周波数分割デュプレクス（ＦＤＤ）無線通信のための装置であって、
複数のダウンリンク・サブフレームで、基地局から、複数の送信を受信し、
前記複数の送信の受信をアクノレッジする、バンドルされたアクノレッジメントを送信し、
前記基地局から、前記複数の送信を受信している間、アップリンク送信を回避する、
ように構成された少なくとも１つのプロセッサと、
前記少なくとも１つのプロセッサに接続されたメモリと、
を備える装置。
【請求項５６】
前記複数の送信は、予め定められた数の送信を備える、請求項５５に記載の装置。
【請求項５７】
前記バンドルされたアクノレッジメントを送信するように構成された少なくとも１つのプロセッサは、前記予め定められた数の送信を受信した後にのみ、前記バンドルされたアクノレッジメントを送信することを備える、請求項５６に記載の装置。
【請求項５８】
前記少なくとも１つのプロセッサは、前記予め定められた数の送信を示すインジケーションを受信するように構成された、請求項５６に記載の装置。
【請求項５９】
前記少なくとも１つのプロセッサは、前記基地局からの１または複数のダウンリンク送信をアクノレッジすることをディセーブルすることを示すインジケーションを受信するように構成された、請求項５５に記載の装置。
【請求項６０】
前記少なくとも１つのプロセッサは、物理アップリンク共有チャネル（ＰＵＳＣＨ）のための割当を受信し、前記バンドルされたアクノレッジメントを、前記ＰＵＳＣＨで送信するように構成された、請求項５５に記載の装置。
【請求項６１】
前記バンドルされたアクノレッジメントは、前記ＰＵＳＣＨのための割当を受信するまで送信されない、請求項６０に記載の装置。
【請求項６２】
周波数分割デュプレクス（ＦＤＤ）無線通信のためのコンピュータ読取可能な記憶媒体であって、
複数のダウンリンク・サブフレームで、基地局から、複数の送信を受信し、
前記複数の送信の受信をアクノレッジする、バンドルされたアクノレッジメントを送信し、
前記基地局から、前記複数の送信を受信している間、アップリンク送信を回避する、
ためのコードを備えるコンピュータ読取可能な記憶媒体。
【請求項６３】
前記複数の送信は、予め定められた数の送信を備える、請求項６２に記載のコンピュータ読取可能な記憶媒体。
【請求項６４】
前記バンドルされたアクノレッジメントを送信するためのコードは、前記予め定められた数の送信を受信した後にのみ、前記バンドルされたアクノレッジメントを送信するためのコードを備える、請求項６３に記載のコンピュータ読取可能な記憶媒体。
【請求項６５】
前記予め定められた数の送信を示すインジケーションを受信するためのコード、をさらに備える請求項６３に記載のコンピュータ読取可能な記憶媒体。
【請求項６６】
前記基地局からの１または複数のダウンリンク送信をアクノレッジすることをディセーブルすることを示すインジケーションを受信するためのコード、をさらに備える請求項６２に記載のコンピュータ読取可能な記憶媒体。
【請求項６７】
物理アップリンク共有チャネル（ＰＵＳＣＨ）のための割当を受信し、前記バンドルされたアクノレッジメントを、前記ＰＵＳＣＨで送信するためのコード、をさらに備える請求項６２に記載のコンピュータ読取可能な記憶媒体。
【請求項６８】
前記バンドルされたアクノレッジメントは、前記ＰＵＳＣＨのための割当を受信するまで送信されない、請求項６７に記載のコンピュータ読取可能な記憶媒体。
【発明の詳細な説明】
【関連出願に対する相互参照】
【０００１】
本願は、全体が参照によって本明細書に明確に組み込まれている２０１０年６月３０日出願の米国仮出願６１／３６０，０７３号に対する優先権を主張する。
【技術分野】
【０００２】
本開示のある態様は、一般に、無線通信に関し、さらに詳しくは、周波数分割デュプレクス（ＦＤＤ）システムにおいて、制限されたアップリンク・デューティ・サイクルによる損失を最小化するための方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
ＭＩＭＯシステムは、データ送信のために、複数（ＮＴ個）の送信アンテナと、複数（ＮＲ個）の受信アンテナとを適用する。ＮＴ個の送信アンテナおよびＮＲ個の受信アンテナによって形成されたＭＩＭＯチャネルは、空間チャネルとも称されるＮＳ個の独立したチャネルへ分解されうる。ＮＳ個の独立チャネルのおのおのは、ディメンションに相当する。複数の送信アンテナおよび受信アンテナによって生成されるさらに大きな寸法が利用される場合、ＭＩＭＯシステムは、（例えば、より高いスループット、および／または、より高い信頼性のような）向上されたパフォーマンスを与えうる。
【発明の概要】
【０００６】
本開示のある態様は、周波数分割デュプレクス（ＦＤＤ）無線通信のための方法を提供する。この方法は、一般に、複数の異なるアップリンク・アクティビティ・パターンにしたがって送信するように、複数のユーザ機器（ＵＥ）を設定することと、ＵＥへデータを送信することと、複数のＵＥからアクノレッジメントを受信することとを含み、ここで、各アクノレッジメントは、その対応するアップリンク・アクティビティ・パターンにしたがってＵＥによって送信される。
【０００７】
本開示のある態様は、ＦＤＤ無線通信のための装置を提供する。この装置は、一般に、複数の異なるアップリンク・アクティビティ・パターンにしたがって送信するように、複数のユーザ機器（ＵＥ）を設定する手段と、ＵＥへデータを送信する手段と、複数のＵＥからアクノレッジメントを受信する手段とを含み、ここで、各アクノレッジメントは、その対応するアップリンク・アクティビティ・パターンにしたがってＵＥによって送信される。
【０００８】
本開示のある態様は、ＦＤＤ無線通信のための装置を提供する。この装置は、一般に、少なくとも１つのプロセッサと、少なくとも１つのプロセッサに接続されたメモリとを含む。少なくとも１つのプロセッサは、一般に、複数の異なるアップリンク・アクティビティ・パターンにしたがって送信するように、複数のユーザ機器（ＵＥ）を設定し、ＵＥへデータを送信し、複数のＵＥからアクノレッジメントを受信するように構成され、ここで、各アクノレッジメントは、その対応するアップリンク・アクティビティ・パターンにしたがってＵＥによって送信される。
【０００９】
本開示のある態様は、ＦＤＤ無線通信のためのコンピュータ・プログラム製品を提供する。このコンピュータ・プログラム製品は一般に、複数の異なるアップリンク・アクティビティ・パターンにしたがって送信するように、複数のユーザ機器（ＵＥ）を設定し、ＵＥへデータを送信し、複数のＵＥからアクノレッジメントを受信する、ここで、各アクノレッジメントは、その対応するアップリンク・アクティビティ・パターンにしたがってＵＥによって送信される、ためのコードを有するコンピュータ読取可能な媒体を含む。
【００１０】
本開示のある態様は、ＦＤＤ無線通信のための方法を提供する。この方法は、一般に、複数のダウンリンク・サブフレームで、ＵＥへ、複数の送信を送ることと、複数の送信の受信をアクノレッジする、バンドルされたアクノレッジメントを受信することと、を含む。
【００１１】
本開示のある態様は、ＦＤＤ無線通信のための装置を提供する。この装置は、一般に、複数のダウンリンク・サブフレームで、ＵＥへ、複数の送信を送る手段と、複数の送信の受信をアクノレッジする、バンドルされたアクノレッジメントを受信する手段と、を含む。
【００１２】
本開示のある態様は、ＦＤＤ無線通信のための装置を提供する。この装置は、一般に、少なくとも１つのプロセッサと、少なくとも１つのプロセッサに接続されたメモリとを含む。この少なくとも１つのプロセッサは、一般に、複数のダウンリンク・サブフレームで、ＵＥへ、複数の送信を送り、複数の送信の受信をアクノレッジする、バンドルされたアクノレッジメントを受信する、ように構成される。
【００１３】
本開示のある態様は、ＦＤＤ無線通信のためのコンピュータ・プログラム製品を提供する。このコンピュータ・プログラム製品は、一般に、複数のダウンリンク・サブフレームで、ＵＥへ、複数の送信を送り、複数の送信の受信をアクノレッジする、バンドルされたアクノレッジメントを受信する、ためのコードを有するコンピュータ読取可能な媒体を含む。
【００１４】
本開示のある態様は、ＦＤＤ無線通信のための方法を提供する。この方法は、一般に、複数のダウンリンク・サブフレームで、基地局から、複数の送信を受信することと、複数の送信の受信をアクノレッジする、バンドルされたアクノレッジメントを送信することと、を含む。
【００１５】
本開示のある態様は、ＦＤＤ無線通信のための装置を提供する。この装置は、一般に、複数のダウンリンク・サブフレームで、基地局から、複数の送信を受信する手段と、複数の送信の受信をアクノレッジする、バンドルされたアクノレッジメントを送信する手段と、を含む。
【００１６】
本開示のある態様は、ＦＤＤ無線通信のための装置を提供する。この装置は、一般に、少なくとも１つのプロセッサと、少なくとも１つのプロセッサに接続されたメモリとを含む。この少なくとも１つのプロセッサは、一般に、複数のダウンリンク・サブフレームで、基地局から、複数の送信を受信し、複数の送信の受信をアクノレッジする、バンドルされたアクノレッジメントを受信する、ように構成される。
【００１７】
本開示のある態様は、ＦＤＤ無線通信のためのコンピュータ・プログラム製品を提供する。このコンピュータ・プログラム製品は、一般に、複数のダウンリンク・サブフレームで、基地局から、複数の送信を受信し、複数の送信の受信をアクノレッジする、バンドルされたアクノレッジメントを送信する、ためのコードを有するコンピュータ読取可能な媒体を含む。
【図面の簡単な説明】
【００１８】
【図１】図１は、本開示のある態様にしたがう無線通信ネットワークの例を概念的に例示するブロック図である。
【図２】図２は、本開示のある態様にしたがって、無線通信ネットワークにおいてユーザ機器（ＵＥ）と通信している基地局の例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがうダウンリンクのための２つの典型的なサブフレーム・フォーマットを例示する。
【図５】図５は、本開示のある態様にしたがって、周波数分割デュプレクス（ＦＤＤ）システムにおいて、制限されたＵＬデューティ・サイクルによる損失を最小化することが可能な、アクセス・ポイントおよびアクセス端末を備えたシステムの例を例示する。
【図６】図６は、本開示のある態様にしたがって、複数のＵＥを異なるＵＬアクティビティ・パターンに設定するための動作の例を例示する。
【図７】図７は、本開示のある態様にしたがって、ＵＥのための固定されたバンドル・パターンを決定するための動作の例を例示する。
【図８】図８は、本開示のある態様にしたがって、複数のダウンリンク送信のためのバンドルされたアクノレッジメントを送信するための動作の例を例示する。
【図９】図９は、本開示のある態様にしたがって、ＵＥのための固定されたバンドル・パターンの実施形態を例示する。
【図１０Ａ】図１０Ａは、本開示のある態様にしたがって、自己干渉を回避しうるＤＬスケジューリングおよびＵＬスケジューリングのためのＦＤＤシステムの実施形態を例示する。
【図１０Ｂ】図１０Ｂは、本開示のある態様にしたがって、自己干渉を回避しうるＤＬスケジューリングおよびＵＬスケジューリングのためのＦＤＤシステムの実施形態を例示する。
【図１０Ｃ】図１０Ｃは、本開示のある態様にしたがって、自己干渉を回避しうるＤＬスケジューリングおよびＵＬスケジューリングのためのＦＤＤシステムの実施形態を例示する。
【発明を実施するための形態】
【００１９】
非対称のＤＬ／ＵＬ区分によって、ロング・ターム・イボリューション（ＬＴＥ）時分割デュプレクス（ＴＤＤ）システムのために、アクノレッジメント・バンドリングが定義されている。制限されたアップリンク（ＵＬ）デューティ・サイクルを持つ周波数分割デュプレクス（ＦＤＤ）の場合、ダウンリンク送信と、関連付けられたアップリンク・アクノレッジメントとに関連付けられた非対称が存在しうる。例えば、物理ダウンリンク共有チャネル（ＰＤＳＣＨ）および物理アップリンク制御チャネル（ＰＵＣＣＨ）とのハイブリッド自動反復要求アクノレッジメント（ＨＡＲＱ−ＡＣＫ）非対称が存在しうる。ダウンリンク送信とアップリンク送信との間の干渉は、ＦＤＤシステムにおいて、制限されたＵＬデューティ・サイクルに寄与する要因でありうる。制限されたモバイル送信デューティ・サイクルを有するＦＤＤシステムの場合、ＤＬパフォーマンスとＵＬパフォーマンスとの両方とも、適切な緩和技術が無く、著しく低下しうる。本開示のある実施形態によれば、さまざまなＨＡＲＱ技術およびスケジューリング技術が、制限されたＵＬデューティ・サイクルによる損失を最小化するために利用されうる。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ）、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００２１】
図１は、無線通信ネットワーク１００を示す。これは、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ユーザ機器（ＵＥ）と通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００２２】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００２３】
無線ネットワーク１００はさらに、リレー局をも含みうる。リレー局は、データの伝送を上流局（例えば、ｅＮＢまたはＵＥ）から受信し、データの伝送を下流局（例えば、ＵＥまたはｅＮＢ）へ送信するエンティティである。リレー局はまた、他のＵＥのための送信を中継するＵＥでもありうる。図１に示される例において、リレー局１１０ｄは、ｅＮＢ１１０ａとＵＥ１２０ｄとの間の通信を容易にするために、マクロｅＮＢ１１０ａおよびＵＥ１２０ｄと通信しうる。リレー局はまた、リレーｅＮＢ、リレー基地局、リレー等とも称されうる。
【００２４】
無線ネットワーク１００はまた、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーｅＮＢは、低い送信電力レベル（例えば、０．１乃至２ワット）を有しうる。
【００２５】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２６】
無線ネットワーク１００の全体にわたって、多くのＵＥ１２０が分布しうる。そして、おのおののＵＥは、固定式または移動式でありうる。ＵＥは、アクセス端末、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２７】
図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２８】
基地局１１０では、送信プロセッサ２２０が、１または複数のＵＥのためのデータを、データ・ソース２１２から受け取り、ＵＥから受信したＣＱＩに基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、ＳＲＰＩ等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、ＣＲＳ）および同期信号（例えば、ＰＳＳおよびＳＳＳ）のための基準シンボルを生成しうる。送信（ＴＸ）複数入力複数出力（ＭＩＭＯ）プロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００２９】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。以下に記載されるように、チャネル・プロセッサ２８４は、ＲＳＲＰ、ＲＳＳＩ、ＲＳＲＱ、ＣＱＩ等を決定しうる。
【００３０】
アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００３１】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、ここで説明された技術のための処理の実行または指示を行いうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００３２】
以下にさらに詳しく説明されるように、基地局１１０は、ＵＥ１２０へデータを送信する場合、データ割当サイズに少なくとも部分的に基づいて、バンドル・サイズを決定し、決定されたバンドル・サイズを持つ、バンドルされた連続的なリソース・ブロックにおけるデータをプリコードするように構成される。ここで、各バンドルにおけるリソース・ブロックは、共通のプリコーディング行列を用いてプリコードされる。すなわち、例えば、リソース・ブロックにおけるデータおよび／またはＵＥ−ＲＳのような基準信号が、同じプリコーダを用いてプリコードされる。バンドルされたＲＢの各ＲＢにおけるＵＥ−ＲＳのために使用される電力レベルも同じでありうる。
【００３３】
ＵＥ１２０は、基地局１１０から送信されたデータを復号するための補足的な処理を実行するように構成されうる。例えば、ＵＥ１２０は、連続的なリソース・ブロック（ＲＢ）のバンドルで、基地局から送信された受信データのデータ割当サイズに基づいて、バンドル・サイズを決定し、ここで、各バンドルにおけるリソース・ブロックにおける少なくとも１つの基準信号は、共通のプリコーディング行列を用いてプリコードされる、基地局から送信された１または複数の基準信号（ＲＳ）と、決定されたバンドル・サイズとに基づいて、少なくとも１つのプリコードされたチャネルを推定し、受信されたバンドルを、推定されたプリコードされたチャネルを用いて復号する、ように構成されうる。
【００３４】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００３５】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００３６】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００３７】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られる信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００３８】
ＬＴＥにおけるＰＳＳ、ＳＳＳ、ＣＲＳ、およびＰＢＣＨは、公的に利用可能な「イボルブド・ユニバーサル地上ラジオ・アクセス（Ｅ−ＵＴＲＡ）；物理チャネルおよび変調」（"Evolved Universal Terrestrial Radio Access (E-UTRA); Physical Channels and Modulation）と題された３ＧＰＰ  ＴＳ  ３６．２１１に記載されている。
【００３９】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００４０】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００４１】
ＵＥは、複数のｅＮＢの有効通信範囲内に位置しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ）、または基準信号受信品質（ＲＳＲＱ）、またはその他のメトリックによって定量化されうる。ＵＥは、１または複数の干渉元のｅＮＢから高い干渉を観察しうる支配的な干渉シナリオで動作しうる。
【００４２】
（制限されたデューティ・サイクルＦＤＤシステム）  
非対称のＤＬ／ＵＬ区分によって、ロング・ターム・イボリューション（ＬＴＥ）時分割デュプレクス（ＴＤＤ）システムのため、アクノレッジメント・バンドリングが定義されている。ＤＬ／ＵＬ区分は、ＴＤＤシステムのために、予め定められ、ＵＥ不変でありうる。言い換えれば、区分スキームは、ＴＤＤシステムにおけるすべてのＵＥに適合しうる。制限されたアップリンク（ＵＬ）デューティ・サイクルを持つ周波数分割デュプレクス（ＦＤＤ）の場合、ダウンリンク送信と、関連付けられたアップリンク・アクノレッジメントとに関連付けられた非対称が存在しうる。例えば、物理ダウンリンク共有チャネル（ＰＤＳＣＨ）および物理アップリンク制御チャネル（ＰＵＣＣＨ）とのハイブリッド自動反復要求アクノレッジメント（ＨＡＲＱ−ＡＣＫ）非対称が存在しうる。ダウンリンク送信とアップリンク送信との間の干渉は、ＦＤＤシステムにおいて、制限されたＵＬデューティ・サイクルに寄与する要因でありうる。ＵＬデューティ・サイクルは、他の通信システムへの干渉によっても制限されうる。（ＵＥ不変で、かつ、予め定められた）ＴＤＤデューティ・サイクルと比較して、ＦＤＤデューティ・サイクルは、ＵＥ特有であり、適応性がありうる。制限されたモバイル送信デューティ・サイクルを有するＦＤＤシステムの場合、ＤＬパフォーマンスとＵＬパフォーマンスとの両方とも、適切な緩和技術が無く、著しく低下しうる。本開示のある実施形態によれば、さまざまなＨＡＲＱ技術およびスケジューリング技術が、制限されたＵＬデューティ・サイクルによる損失を最小化するために利用されうる。
【００４３】
図５は、本開示のある態様にしたがって、ＦＤＤシステムにおいて、制限されたＵＬデューティ・サイクルによる損失を最小化することが可能な、アクセス・ポイント５１０およびアクセス端末５２０を備えたシステム５００の例を例示する。例示されているように、アクセス・ポイント５１０は、１または複数のダウンリンク送信（例えば、ＰＤＣＣＨ／ＰＤＳＣＨ／ＰＨＩＣＨ）を生成するためのメッセージ生成モジュール５１４を含みうる。ここで、ダウンリンク送信は、送信機モジュール５１２によって、ダウンリンク・サブフレームで、アクセス端末５２０へ送信されうる。
【００４４】
アクセス端末５２０は、受信機モジュール５２６によってダウンリンク送信を受信し、メッセージ処理モジュール５２４によってこの送信を処理しうる。いくつかの実施形態の場合、アクセス端末５２０は、ここでさらに説明されるようなアップリンク・アクティビティ・パターンにしたがって、１または複数のダウンリンク送信のためのバンドルされたアクノレッジメントを送信するように構成されうる。アクセス端末５２０は、ラジオ・リソース制御（ＲＲＣ）シグナリングによって、アップリンク・アクティビティ・パターンを用いて設定されうる。いくつかの実施形態については、アクセス端末５２０は、固定数のダウンリンク送信を受信した後にのみ、バンドルされたアクノレッジメントを送信しうる。１または複数のダウンリンク送信を受信し、処理した後、アクセス端末５２０は、バンドルされたアクノレッジメントを構築し、送信機モジュール５２２によって、アップリンク・サブフレームで、アクセス・ポイント５１０へ送信しうる。アクセス・ポイント５１０は、バンドルされたアクノレッジメントを、受信機モジュール５１６によって受信しうる。
【００４５】
図６は、本開示のある態様にしたがって、複数のＵＥを異なるＵＬアクティビティ・パターンに設定するための動作６００の例を例示する。動作６００は、例えば、アクセス・ポイント（例えば、ＢＳ）によって実行されうる。６０２において、ＢＳは、複数の異なるアップリンク・アクティビティ・パターンにしたがって送信するように、複数のユーザ機器（ＵＥ）を設定しうる。いくつかの実施形態の場合、ＵＥは、ＲＲＣシグナリングによって、それぞれのアップリンク・アクティビティ・パターンを用いて設定されうる。これらパターンは、特定のパターンの変形バージョンでありうる。異なるＵＥは、異なるパターンを割り当てられうる。これによって、ＢＳにおけるＵＬアクティビティの全体が、実質的に完全にアグリゲートされたアップリンク・デューティ・サイクルを達成できるようになる。いくつかの実施形態の場合、異なるパターンは、オーバラップしない場合がありうる。
【００４６】
６０４では、ＢＳが、ＵＥへデータを送信しうる。ＵＥは、定義されたアクティビティ・パターンに基づいて、ＡＣＫバンドリングを開始させうる。言い換えれば、各ＵＬサブフレームは、１または複数のダウンリンク（ＤＬ）ＨＡＲＱ−ＡＣＫブロックのためのＡＣＫ／ＮＡＫを伝送しうる。
【００４７】
６０６では、ＢＳが、複数のＵＥから、アクノレッジメントを受信しうる。ここで、各アクノレッジメントは、その対応するアップリンク・アクティビティ・パターンにしたがってＵＥによって送信される。例えば、ＢＳは、ＵＥ送信を検出し、バンドルされたＡＣＫ／ＮＡＫを処理しうる。いくつかの実施形態の場合、ＵＥに送信されたデータと、ＵＥから受信したアクノレッジメントとが、オーバラップしないように設定されうる。
【００４８】
図７は、本開示のある態様にしたがって、ＵＥのための固定されたバンドル・パターンを決定するための動作７００の例を例示する。動作７００は、例えば、アクセス・ポイント（例えば、ＢＳ）によって実行されうる。７０２において、ＢＳは、複数のダウンリンク・サブフレームで、ＵＥへ、複数の送信を送りうる。ここで、複数の送信は、予め定められた数の送信を備えうる。いくつかの実施形態の場合、ＢＳは、予め定められた数の送信を示すインジケーションを、（例えば、ＲＲＣシグナリングによって、）ＵＥへ送信しうる。
【００４９】
７０４において、ＢＳは、複数の送信の受信をアクノレッジする、バンドルされたアクノレッジメントを受信しうる。いくつかの実施形態の場合、ＢＳは、予め定められた数の送信を送った後にのみ、バンドルされたアクノレッジメントを受信しうる。
【００５０】
図８は、本開示のある態様にしたがって、複数のダウンリンク送信のためのバンドルされたアクノレッジメントを送信するための動作８００の例を例示する。動作８００は、例えば、アクセス端末（例えば、ＵＥ）によって実行されうる。８０２では、ＵＥが、複数のダウンリンク・サブフレームで、ＢＳから、複数の送信を受信しうる。８０４では、ＵＥは、複数の送信の受信をアクノレッジする、バンドルされたアクノレッジメントを送信しうる。いくつかの実施形態の場合、ＵＥは、予め定められた数の送信を受信した後にのみ、バンドルされたアクノレッジメントを送信しうる。
【００５１】
図９は、本開示のある態様にしたがって、ＵＥのための固定されたバンドル・パターンの実施形態を例示する。例として、ＵＥは、Ｘ個の連続するＤＬ送信（例えば、予め定められた数の送信）のためのＡＣＫ／ＮＡＫ送信を保留しうる。言い換えれば、ＵＥは、予め定められた数の送信を受信した後にのみ、アクノレッジメントを送信しうる。１つの実施形態では、Ｘは４でありうる。これによって、１つのＡＣＫは、４つのサブフレームのために送信されるようになる。図９に例示されるように、ＵＥは、バンドルされたアクノレッジメントをサブフレーム１で送信し、サブフレーム４，５，６，８におけるダウンリンク送信（例えば、ＰＤＣＣＨ／ＰＤＳＣＨ／ＰＨＩＣ）の受信をアクノレッジする。言い換えれば、ＵＥは、４つの連続したＤＬ送信を受信した後にのみ、バンドルされたアクノレッジメントを送信しうる。いくつかの実施形態の場合、Ｘ個すべての送信のために、単一のＡＣＫビットが使用されうる。その他の実施形態の場合、１つのＡＣＫビットが、各ＤＬ送信のために使用されうる。
【００５２】
いくつかの実施形態の場合、物理アップリンク共有チャネル（ＰＵＳＣＨ）ベースのＡＣＫ／ＮＡＫバンドリングが存在しうる。言い換えれば、ＰＵＳＣＨ割当がＵＥによって受信されるまで、ＵＥは、ＡＣＫ／ＮＡＫ送信を保留しうる。ＵＥは、ＰＵＣＣＨでＡＣＫ／ＮＡＫを送信する代わりに、バンドルされたＡＣＫ／ＮＡＫを、ＰＵＳＣＨ送信で送りうる。いくつかの実施形態の場合、Ｙ個のサブフレーム内にＰＵＳＣＨ送信が存在しない場合、前述したように、（例えば、Ｘ個の連続するＤＬ送信後、）バンドルされたＡＣＫ／ＮＡＫが送信されうる。
【００５３】
ＴＤＤシステムとの１つの相違は、ＡＣＫ／ＮＡＫのバンドリングは、ＦＤＤシステムにおいて８ミリ秒周期に基づきうることである。いくつかの実施形態の場合、すべてのＰＵＳＣＨ許可が、デューティ・サイクル制限を越えない送信をトリガすることをＢＳが確信しうる。これは、ＵＥ特有のバンドル・パターンによって定義されたＡＣＫ「インタレース」と一致するようにＵＬスケジューリングを制限することによって達成されうる。いくつかの実施形態の場合、スケジューラは、さらなる最適化を提供しうる。ここでは、ＢＳは、期間のために送信されたＤＬが存在しないか否かを判定しうる。したがって、ＵＬ  ＡＣＫが存在しない（誤警報を除く）場合、柔軟性が望まれるのであれば、ＰＵＳＣＨの他のインタレースが一時的に使用されうる。
【００５４】
いくつかの実施形態の場合、バンドリングの無い、強制的なＡＣＫ不連続送信（ＤＴＸ）が存在しうる。例えば、サブフレームの７５％でＡＣＫを送信することをディセーブルしうるＬ３設定ＵＥ特有マスクが存在しうる。ＵＥは、ＢＳからの１または複数のダウンリンク送信をアクノレッジすることをディセーブルすることを示すインジケーションを受信しうる。ＢＳは未だに、その他のサブフレームを利用しうるが、これらサブフレームについて、ＨＡＲＱフィードバックの利点を有さないことがありうる。例えば、その他のサブフレームを利用するＢＳは、再送信の無い、リアル・タイム・トラフィックでありうる。ＢＳは、１より多くの送信を目標としており、再送信のうちのいくつかは、アクノレッジされたＳＦで続けられることを保証しうる。
【００５５】
典型的なＦＤＤシステムでは、ＵＬ送信は、受信チェーンに至り、自己干渉をもたらしうる。いくつかの実施形態の場合、このような干渉を避けるために、ＵＬ送信およびＤＬ受信が、衝突を回避するようにスケジュールされうる。
【００５６】
図１０Ａ−Ｃは、本開示のある態様にしたがって、自己干渉を回避しうる、ＤＬおよびＵＬのスケジューリングのための２５％ＦＤＤシステムの３つの実施形態を例示する。ここで、ＤＬおよびＵＬのためのスケジューリングは、オーバラップしない場合がありうる。スケジュールされたＤＬ送信は、物理ダウンリンク制御チャネル（ＰＤＣＣＨ）、ＰＤＳＣＨ、および物理ハイブリッドＡＲＱインジケータ・チャネル（ＰＨＩＣＨ）を備える。スケジュールされたＵＬ送信は、ＡＣＫ／ＮＡＫ、ＰＵＳＣＨ、およびチャネル品質インジケータ（ＣＱＩ）を備える。ＬＴＥ  ＦＤＤシステム・タイムラインでは、サブフレームｎにおけるＤＬ送信のためのＵＬ  ＡＣＫは、サブフレームｎ＋４においてでありうる。いくつかの実施形態の場合、自己干渉問題を低減するために、サブフレームｎ＋４においてさらなるＤＬ送信がスケジュールされることが回避されうる。例えば、図１０Ａでは、サブフレーム０におけるＤＬ送信のためのＵＬ  ＡＣＫは、サブフレーム４においてでありうる。したがって、自己干渉問題を低減するために、さらなるＤＬ送信は、サブフレーム４においてスケジュールされない場合がありうる。
【００５７】
ＬＴＥ  ＦＤＤシステム・タイムラインでは、サブフレームｎにおけるＵＬ送信のためのＤＬ  ＡＣＫは、サブフレームｎ＋４においてでありうる。いくつかの実施形態の場合、自己干渉問題を低減するために、サブフレームｎ＋４においてさらなるＵＬ送信がスケジュールされることが回避されうる。例えば、図１０Ｂでは、サブフレーム４におけるＵＬ送信のためのＤＬ  ＡＣＫは、サブフレーム８においてでありうる。したがって、自己干渉問題を低減するために、さらなるＵＬ送信は、サブフレーム８においてスケジュールされない場合がありうる。
【００５８】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、任意の適切な対応するｍｅａｎｓ−ｐｕｌｓ−ｆｕｃｔｉｏｎ構成要素によって実行されうる。
【００５９】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６０】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６１】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６２】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６３】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００６４】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、本願の出願当初の請求項と同一の記載を以下に付記する。
［Ｃ１］ 周波数分割デュプレクス（ＦＤＤ）無線通信のための方法であって、
複数の異なるアップリンク・アクティビティ・パターンにしたがって送信するように、複数のユーザ機器（ＵＥ）を設定することと、
前記ＵＥへデータを送信することと、
前記複数のＵＥからアクノレッジメントを受信することと、ここで、各アクノレッジメントは、対応するアップリンク・アクティビティ・パターンにしたがって前記ＵＥによって送信される、
を備える方法。
［Ｃ２］ 前記複数の異なるアップリンク・アクティビティ・パターンは、オーバラップしない、Ｃ１に記載の方法。
［Ｃ３］ 前記異なるアップリンク・アクティビティ・パターンは、基地局において、実質的に完全にアグリゲートされたアップリンク・デューティ・サイクルを達成することを試みて選択される、Ｃ１に記載の方法。
［Ｃ４］ 前記ＵＥに送信されるデータと、前記ＵＥから受信されるアクノレッジメントとが、オーバラップしないように設定される、Ｃ１に記載の方法。
［Ｃ５］ 前記アクノレッジメントを受信している間、前記ＵＥへのさらなるデータ送信を回避すること、をさらに備えるＣ１に記載の方法。
［Ｃ６］ 前記複数のＵＥを設定することは、前記複数のＵＥのうちの少なくとも１つに対して、１または複数のダウンリンク送信のためのアクノレッジメントを送信することをディセーブルさせることを示すインジケーションを送信することを備える、Ｃ１に記載の方法。
［Ｃ７］ 周波数分割デュプレクス（ＦＤＤ）無線通信のための装置であって、
複数の異なるアップリンク・アクティビティ・パターンにしたがって送信するように、複数のユーザ機器（ＵＥ）を設定する手段と、
前記ＵＥへデータを送信する手段と、
前記複数のＵＥからアクノレッジメントを受信する手段と、ここで、各アクノレッジメントは、対応するアップリンク・アクティビティ・パターンにしたがって前記ＵＥによって送信される、
を備える装置。
［Ｃ８］ 前記複数の異なるアップリンク・アクティビティ・パターンは、オーバラップしない、Ｃ７に記載の装置。
［Ｃ９］ 前記異なるアップリンク・アクティビティ・パターンは、基地局において、実質的に完全にアグリゲートされたアップリンク・デューティ・サイクルを達成することを試みて選択される、Ｃ７に記載の装置。
［Ｃ１０］ 前記ＵＥに送信されるデータと、前記ＵＥから受信されるアクノレッジメントとが、オーバラップしないように設定される、Ｃ７に記載の装置。
［Ｃ１１］ 前記アクノレッジメントを受信している間、前記ＵＥへのさらなるデータ送信を回避する手段、をさらに備えるＣ７に記載の装置。
［Ｃ１２］ 前記複数のＵＥを設定する手段は、前記複数のＵＥのうちの少なくとも１つに対して、１または複数のダウンリンク送信のためのアクノレッジメントを送信することをディセーブルさせることを示すインジケーションを送信する手段を備える、Ｃ７に記載の装置。
［Ｃ１３］ 周波数分割デュプレクス（ＦＤＤ）無線通信のための装置であって、
複数の異なるアップリンク・アクティビティ・パターンにしたがって送信するように、複数のユーザ機器（ＵＥ）を設定し、
前記ＵＥへデータを送信し、
前記複数のＵＥからアクノレッジメントを受信する、ここで、各アクノレッジメントは、対応するアップリンク・アクティビティ・パターンにしたがって前記ＵＥによって送信される、
ように構成された少なくとも１つのプロセッサと、
前記少なくとも１つのプロセッサに接続されたメモリと、
を備える装置。
［Ｃ１４］ 前記複数の異なるアップリンク・アクティビティ・パターンは、オーバラップしない、Ｃ１３に記載の装置。
［Ｃ１５］ 前記異なるアップリンク・アクティビティ・パターンは、基地局において、実質的に完全にアグリゲートされたアップリンク・デューティ・サイクルを達成することを試みて選択される、Ｃ１３に記載の装置。
［Ｃ１６］ 前記ＵＥに送信されるデータと、前記ＵＥから受信されるアクノレッジメントとが、オーバラップしないように設定される、Ｃ１３に記載の装置。
［Ｃ１７］ 前記少なくとも１つのプロセッサは、前記アクノレッジメントを受信している間、前記ＵＥへのさらなるデータ送信を回避するように構成された、Ｃ１３に記載の装置。
［Ｃ１８］ 前記複数のＵＥを設定するように構成された少なくとも１つのプロセッサは、前記複数のＵＥのうちの少なくとも１つに対して、１または複数のダウンリンク送信のためのアクノレッジメントを送信することをディセーブルさせることを示すインジケーションを送信することを備える、Ｃ１３に記載の装置。
［Ｃ１９］ 周波数分割デュプレクス（ＦＤＤ）無線通信のためのコンピュータ・プログラム製品であって、
複数の異なるアップリンク・アクティビティ・パターンにしたがって送信するように、複数のユーザ機器（ＵＥ）を設定し、
前記ＵＥへデータを送信し、
前記複数のＵＥからアクノレッジメントを受信する、ここで、各アクノレッジメントは、対応するアップリンク・アクティビティ・パターンにしたがって前記ＵＥによって送信される、
ためのコードを有するコンピュータ読取可能な媒体を備える、コンピュータ・プログラム製品。
［Ｃ２０］ 前記複数の異なるアップリンク・アクティビティ・パターンは、オーバラップしない、Ｃ１９に記載のコンピュータ・プログラム製品。
［Ｃ２１］ 前記異なるアップリンク・アクティビティ・パターンは、基地局において、実質的に完全にアグリゲートされたアップリンク・デューティ・サイクルを達成することを試みて選択される、Ｃ１９に記載のコンピュータ・プログラム製品。
［Ｃ２２］ 前記ＵＥに送信されるデータと、前記ＵＥから受信されるアクノレッジメントとが、オーバラップしないように設定される、Ｃ１９に記載のコンピュータ・プログラム製品。
［Ｃ２３］ 前記アクノレッジメントを受信している間、前記ＵＥへのさらなるデータ送信を回避するためのコードをさらに備える、Ｃ１９に記載のコンピュータ・プログラム製品。
［Ｃ２４］ 前記複数のＵＥを設定するためのコードは、前記複数のＵＥのうちの少なくとも１つに対して、１または複数のダウンリンク送信のためのアクノレッジメントを送信することをディセーブルさせることを示すインジケーションを送信するためのコードを備える、Ｃ１９に記載のコンピュータ・プログラム製品。
［Ｃ２５］ 周波数分割デュプレクス（ＦＤＤ）無線通信のための方法であって、
複数のダウンリンク・サブフレームで、ユーザ機器（ＵＥ）へ、複数の送信を送ることと、
前記複数の送信の受信をアクノレッジする、バンドルされたアクノレッジメントを受信することと、
を備える方法。
［Ｃ２６］ 前記複数の送信は、予め定められた数の送信を備える、Ｃ２５に記載の方法。
［Ｃ２７］ 前記バンドルされたアクノレッジメントを受信することは、
前記予め定められた数の送信を送った後にのみ、前記バンドルされたアクノレッジメントを受信することを備える、Ｃ２６に記載の方法。
［Ｃ２８］ 前記予め定められた数の送信を示すインジケーションを送信すること、をさらに備えるＣ２６に記載の方法。
［Ｃ２９］ 前記バンドルされたアクノレッジメントを受信している間、前記ＵＥへのさらなる送信を回避すること、をさらに備えるＣ２５に記載の方法。
［Ｃ３０］ 物理アップリンク共有チャネル（ＰＵＳＣＨ）のための割当を送信することと、
前記バンドルされたアクノレッジメントを、前記ＰＵＳＣＨで受信することと、
をさらに備えるＣ２５に記載の方法。
［Ｃ３１］ 周波数分割デュプレクス（ＦＤＤ）無線通信のための装置であって、
複数のダウンリンク・サブフレームで、ユーザ機器（ＵＥ）へ、複数の送信を送る手段と、
前記複数の送信の受信をアクノレッジする、バンドルされたアクノレッジメントを受信する手段と、
を備える装置。
［Ｃ３２］ 前記複数の送信は、予め定められた数の送信を備える、Ｃ３１に記載の装置。
［Ｃ３３］ 前記バンドルされたアクノレッジメントを受信する手段は、
前記予め定められた数の送信を送った後にのみ、前記バンドルされたアクノレッジメントを受信する手段
を備える、Ｃ３２に記載の装置。
［Ｃ３４］ 前記予め定められた数の送信を示すインジケーションを送信する手段、をさらに備えるＣ３２に記載の装置。
［Ｃ３５］ 前記バンドルされたアクノレッジメントを受信している間、前記ＵＥへのさらなる送信を回避する手段、をさらに備えるＣ３１に記載の装置。
［Ｃ３６］ 物理アップリンク共有チャネル（ＰＵＳＣＨ）のための割当を送信する手段と、
前記バンドルされたアクノレッジメントを、前記ＰＵＳＣＨで受信する手段と、
をさらに備えるＣ３１に記載の装置。
［Ｃ３７］ 周波数分割デュプレクス（ＦＤＤ）無線通信のための装置であって、
複数のダウンリンク・サブフレームで、ユーザ機器（ＵＥ）へ、複数の送信を送り、
前記複数の送信の受信をアクノレッジする、バンドルされたアクノレッジメントを受信する
ように構成された少なくとも１つのプロセッサと、
前記少なくとも１つのプロセッサに接続されたメモリと、
を備える装置。
［Ｃ３８］ 前記複数の送信は、予め定められた数の送信を備える、Ｃ３７に記載の装置。
［Ｃ３９］ 前記バンドルされたアクノレッジメントを受信するように構成された少なくとも１つのプロセッサは、前記予め定められた数の送信を送った後にのみ、前記バンドルされたアクノレッジメントを受信することを備える、Ｃ３８に記載の装置。
［Ｃ４０］ 前記少なくとも１つのプロセッサは、前記予め定められた数の送信を示すインジケーションを送信するように構成された、Ｃ３８に記載の装置。
［Ｃ４１］ 前記少なくとも１つのプロセッサは、前記バンドルされたアクノレッジメントを受信している間、前記ＵＥへのさらなる送信を回避するように構成された、Ｃ３７に記載の装置。
［Ｃ４２］ 前記少なくとも１つのプロセッサは、物理アップリンク共有チャネル（ＰＵＳＣＨ）のための割当を送信し、前記バンドルされたアクノレッジメントを、前記ＰＵＳＣＨで受信するように構成された、Ｃ３７に記載の装置。
［Ｃ４３］ 周波数分割デュプレクス（ＦＤＤ）無線通信のためのコンピュータ・プログラム製品であって、
複数のダウンリンク・サブフレームで、ユーザ機器（ＵＥ）へ、複数の送信を送り、
前記複数の送信の受信をアクノレッジする、バンドルされたアクノレッジメントを受信する
ためのコードを有するコンピュータ読取可能な媒体を備える、コンピュータ・プログラム製品。
［Ｃ４４］ 前記複数の送信は、予め定められた数の送信を備える、Ｃ４３に記載のコンピュータ・プログラム製品。
［Ｃ４５］ 前記バンドルされたアクノレッジメントを受信するためのコードは、前記予め定められた数の送信を送った後にのみ、前記バンドルされたアクノレッジメントを受信するためのコードを備える、Ｃ４４に記載のコンピュータ・プログラム製品。
［Ｃ４６］ 前記予め定められた数の送信を示すインジケーションを送信するためのコード、をさらに備えるＣ４４に記載のコンピュータ・プログラム製品。
［Ｃ４７］ 前記バンドルされたアクノレッジメントを受信している間、前記ＵＥへのさらなる送信を回避するためのコード、をさらに備えるＣ４３に記載のコンピュータ・プログラム製品。
［Ｃ４８］ 物理アップリンク共有チャネル（ＰＵＳＣＨ）のための割当を送信し、
前記バンドルされたアクノレッジメントを、前記ＰＵＳＣＨで受信する
ためのコード、をさらに備えるＣ４３に記載のコンピュータ・プログラム製品。
［Ｃ４９］ 周波数分割デュプレクス（ＦＤＤ）無線通信のための方法であって、
複数のダウンリンク・サブフレームで、基地局から、複数の送信を受信することと、
前記複数の送信の受信をアクノレッジする、バンドルされたアクノレッジメントを送信することと、
を備える方法。
［Ｃ５０］ 前記複数の送信は、予め定められた数の送信を備える、Ｃ４９に記載の方法。
［Ｃ５１］ 前記バンドルされたアクノレッジメントを送信することは、前記予め定められた数の送信を受信した後にのみ、前記バンドルされたアクノレッジメントを送信することを備える、Ｃ５０に記載の方法。
［Ｃ５２］ 前記予め定められた数の送信を示すインジケーションを受信すること、をさらに備えるＣ５０に記載の方法。
［Ｃ５３］ 前記基地局から、前記複数の送信を受信している間、アップリンク送信を回避すること、をさらに備えるＣ４９に記載の方法。
［Ｃ５４］ 前記基地局からの１または複数のダウンリンク送信をアクノレッジすることをディセーブルすることを示すインジケーションを受信すること、をさらに備えるＣ４９に記載の方法。
［Ｃ５５］ 物理アップリンク共有チャネル（ＰＵＳＣＨ）のための割当を受信することと、
前記バンドルされたアクノレッジメントを、前記ＰＵＳＣＨで送信することと、
をさらに備えるＣ４９に記載の方法。
［Ｃ５６］ 前記バンドルされたアクノレッジメントは、前記ＰＵＳＣＨのための割当を受信するまで送信されない、Ｃ５５に記載の方法。
［Ｃ５７］ 周波数分割デュプレクス（ＦＤＤ）無線通信のための装置であって、
複数のダウンリンク・サブフレームで、基地局から、複数の送信を受信する手段と、
前記複数の送信の受信をアクノレッジする、バンドルされたアクノレッジメントを送信する手段と、
を備える装置。
［Ｃ５８］ 前記複数の送信は、予め定められた数の送信を備える、Ｃ５７に記載の装置。
［Ｃ５９］ 前記バンドルされたアクノレッジメントを送信する手段は、前記予め定められた数の送信を受信した後にのみ、前記バンドルされたアクノレッジメントを送信する手段を備える、Ｃ５８に記載の装置。
［Ｃ６０］ 前記予め定められた数の送信を示すインジケーションを受信する手段、をさらに備えるＣ５８に記載の装置。
［Ｃ６１］ 前記基地局から、前記複数の送信を受信している間、アップリンク送信を回避する手段、をさらに備えるＣ５７に記載の装置。
［Ｃ６２］ 前記基地局からの１または複数のダウンリンク送信をアクノレッジすることをディセーブルすることを示すインジケーションを受信する手段、をさらに備えるＣ５７に記載の装置。
［Ｃ６３］ 物理アップリンク共有チャネル（ＰＵＳＣＨ）のための割当を受信する手段と、
前記バンドルされたアクノレッジメントを、前記ＰＵＳＣＨで送信する手段と、
をさらに備えるＣ５７に記載の装置。
［Ｃ６４］ 前記バンドルされたアクノレッジメントは、前記ＰＵＳＣＨのための割当を受信するまで送信されない、Ｃ６３に記載の装置。
［Ｃ６５］ 周波数分割デュプレクス（ＦＤＤ）無線通信のための装置であって、
複数のダウンリンク・サブフレームで、基地局から、複数の送信を受信し、
前記複数の送信の受信をアクノレッジする、バンドルされたアクノレッジメントを送信する
ように構成された少なくとも１つのプロセッサと、
前記少なくとも１つのプロセッサに接続されたメモリと、
を備える装置。
［Ｃ６６］ 前記複数の送信は、予め定められた数の送信を備える、Ｃ６５に記載の装置。
［Ｃ６７］ 前記バンドルされたアクノレッジメントを送信するように構成された少なくとも１つのプロセッサは、前記予め定められた数の送信を受信した後にのみ、前記バンドルされたアクノレッジメントを送信することを備える、Ｃ６６に記載の装置。
［Ｃ６８］ 前記少なくとも１つのプロセッサは、前記予め定められた数の送信を示すインジケーションを受信するように構成された、Ｃ６６に記載の装置。
［Ｃ６９］ 前記少なくとも１つのプロセッサは、前記基地局から、前記複数の送信を受信している間、アップリンク送信を回避するように構成された、Ｃ６５に記載の装置。
［Ｃ７０］ 前記少なくとも１つのプロセッサは、前記基地局からの１または複数のダウンリンク送信をアクノレッジすることをディセーブルすることを示すインジケーションを受信するように構成された、Ｃ６５に記載の装置。
［Ｃ７１］ 前記少なくとも１つのプロセッサは、物理アップリンク共有チャネル（ＰＵＳＣＨ）のための割当を受信し、前記バンドルされたアクノレッジメントを、前記ＰＵＳＣＨで送信するように構成された、Ｃ６５に記載の装置。
［Ｃ７２］ 前記バンドルされたアクノレッジメントは、前記ＰＵＳＣＨのための割当を受信するまで送信されない、Ｃ７１に記載の装置。
［Ｃ７３］ 周波数分割デュプレクス（ＦＤＤ）無線通信のためのコンピュータ・プログラム製品であって、
複数のダウンリンク・サブフレームで、基地局から、複数の送信を受信し、
前記複数の送信の受信をアクノレッジする、バンドルされたアクノレッジメントを送信する
ためのコードを有するコンピュータ読取可能な媒体を備える、コンピュータ・プログラム製品
［Ｃ７４］ 前記複数の送信は、予め定められた数の送信を備える、Ｃ７３に記載のコンピュータ・プログラム製品。
［Ｃ７５］ 前記バンドルされたアクノレッジメントを送信するためのコードは、前記予め定められた数の送信を受信した後にのみ、前記バンドルされたアクノレッジメントを送信するためのコードを備える、Ｃ７４に記載のコンピュータ・プログラム製品。
［Ｃ７６］ 前記予め定められた数の送信を示すインジケーションを受信するためのコード、をさらに備えるＣ７４に記載のコンピュータ・プログラム製品。
［Ｃ７７］ 前記基地局から、前記複数の送信を受信している間、アップリンク送信を回避するためのコード、をさらに備えるＣ７３に記載のコンピュータ・プログラム製品。
［Ｃ７８］ 前記基地局からの１または複数のダウンリンク送信をアクノレッジすることをディセーブルすることを示すインジケーションを受信するためのコード、をさらに備えるＣ７３に記載のコンピュータ・プログラム製品。
［Ｃ７９］ 物理アップリンク共有チャネル（ＰＵＳＣＨ）のための割当を受信し、前記バンドルされたアクノレッジメントを、前記ＰＵＳＣＨで送信するためのコード、をさらに備えるＣ７３に記載のコンピュータ・プログラム製品。
［Ｃ８０］ 前記バンドルされたアクノレッジメントは、前記ＰＵＳＣＨのための割当を受信するまで送信されない、Ｃ７９に記載のコンピュータ・プログラム製品。
【図１】
0005623638.tif 000002
【図２】
0005623638.tif 000003
【図３】
0005623638.tif 000004
【図４】
0005623638.tif 000005
【図５】
0005623638.tif 000006
【図６】
0005623638.tif 000007
【図７】
0005623638.tif 000008
【図８】
0005623638.tif 000009
【図９】
0005623638.tif 000010
【図１０Ａ】
0005623638.tif 000011
【図１０Ｂ】
0005623638.tif 000012
【図１０Ｃ】
0005623638.tif 000013